(57)【要約】  【課題】  モバイル環境におけるテレビ番組の受信視聴において、受信環境により不受信状態が生じた際に、その不受信場面を視聴可能とする携帯受信端末装置を提供する。  【解決手段】  テレビ信号を受信してテレビ番組視聴を行うデジタル放送受信モジュール６を有し、公衆回線を用いて各種情報の送受信が可能な携帯受信端末装置３において、視聴するテレビ番組を選択設定し、その番組の情報を録画可能なサーバー装置７に送信して当該番組を録画させ、テレビ放送受信モジュールによる放送電波の正常受信できない不受信状態の開始時刻と、その不受信状態から正常受信した復旧時刻とを検出して記録し、その不受信状態時刻データを基にサーバ機器７に記録され番組信号の当該場面の信号により補完再生視聴する携帯受信端末装置。  【選択図】  図１
2005217972.tif 000002
【特許請求の範囲】
【請求項１】
テレビ放送信号を受信復調してテレビ番組の視聴を可能とするテレビ放送受信手段と、
公衆回線を用いて各種情報の送受信が可能な情報送受信手段と、
前記テレビ放送受信手段を用いて受信視聴するテレビ番組を選択設定し、その選択設定したテレビ番組の情報を録画記録可能なサーバー装置に前記情報送受信手段を用いて送信するテレビ番組情報送信手段と、
前記テレビ放送受信手段によりテレビ番組の受信視聴中に、そのテレビ番組の放送信号を正常受信できなくなった際の不受信状態の時刻を検出して不受信状態時刻データとして記録する不受信状態時刻検出手段と、
を具備することを特徴とした携帯受信端末装置。
【請求項２】
前記情報送受信手段は、前記不受信状態時刻検出手段において検出記録されている不受信状態時刻データを前記サーバ装置に送信し、かつ、前記サーバ装置から前記不受信時刻データを基に不受信状態の間の当該テレビ番組の録画記録情報を受信して復調視聴することを特徴とした請求項１に記載の携帯受信端末装置。
【請求項３】
前記情報送受信手段は、前記不受信状態時刻検出手段において検出記録されている不受信状態時刻データを前記サーバ装置に送信し、その不受信状態時刻データを基に前記サーバ装置に録画記録されている当該テレビ番組の前記不受信状態の間の録画記録情報を再生させることを特徴とした請求項１に記載の携帯受信端末装置。
【請求項４】
前記不受信状態時刻検出手段において検出する不受信状態時刻データは、前記テレビ番組の放送信号を正常に受信できなくなった不受信状態の開始時刻と、その不受信状態から再度正常に受信できる正常受信状態への復旧時刻とからなることを特徴とした請求項１乃至３のいずれかに記載の携帯受信端末装置。
【請求項５】
前記テレビ放送受信手段は、テレビ番組の放送信号を正常受信できなくなった際に、不受信状態の開始時刻を検出して、前記テレビ放送受信手段によるテレビ番組の視聴を中断させると共に、前記情報送受信手段を介して前記サーバ装置に対して、前記不受信状態の開始時刻以降の当該テレビ番組の録画記録情報の送信要求を行い、前記サーバ装置から送信された録画記録情報を基に不受信状態の開始時刻以降の当該テレビ番組を復調視聴することを特徴とした請求項１に記載の携帯受信端末装置。
【請求項６】
前記情報送受信手段から前記サーバ装置に対する前記不受信状態の開始時刻以降の当該テレビ番組の録画記録情報の送信要求の際に、前記サーバ装置から送信される当該テレビ番組の録画記録情報の倍速再生、あるいは当該テレビ番組の本編以外の部分を除去した録画記録情報の送信を指示可能とすることを特徴とした請求項５に記載の携帯受信端末装置。
【請求項７】
前記テレビ放送受信手段は、テレビ番組の受信状態が復旧した時刻と、前記サーバ装置から送信された録画記録情報の基で復調視聴しているテレビ番組の再生場面の時刻とが一致した際に、前記情報送受信手段による前記サーバ装置からの録画記録情報によるテレビ番組の視聴から前記テレビ放送受信手段により受信復調したテレビ番組の視聴に切替ることを特徴とした請求項５または６のいずれかに記載の携帯受信端末装置。
【請求項８】
前記サーバ装置は、前記情報送受信手段からのテレビ番組の情報の基で、当該テレビ番組の録画記録が可能であると共に、その録画記録した当該テレビ番組の録画記録情報を前記情報送受信手段からの指示により再生送信可能な録画記録機器であることを特徴とした請求項１乃至７のいずれかに記載の携帯受信端末装置。
【発明の詳細な説明】
【技術分野】
【０００１】
本発明は、テレビ放送信号を受信しテレビ番組を視聴すると共に、テレビ番組を録画記録したサーバ装置との情報信号の送受信が可能な携帯受信端末装置に関する。
【背景技術】
【０００２】
近年、インターネット、コンピュータ、及び移動体通信の技術の発展により必要な時に必要な場所において映像信号や音声信号を含む各種情報信号の送受信が可能となっている。
【０００３】
また、テレビ放送信号のデジタル化が図られており、移動体によるテレビ放送信号の受信に際して従来のアナログのテレビ放送信号に比して受信状態が大幅に改善される。これにより、移動体通信において、特に携帯電話に代表される携帯受信端末装置に、デジタルテレビ放送信号を受信して、再生視聴させるテレビ受信機能を内蔵されるようになってきた。
【０００４】
このようなテレビ放送信号を受信視聴可能な携帯受信端末装置として、例えば、特許文献１に提案されているように、放送基地局から送信されるテレビ番組のコンテンツ信号を移動体通信の端末装置により受信して再生表示させる通信装置がある。
【０００５】
この特許文献１に提案されている通信装置は、放送基地局から端末装置に、ある番組のコンテンツ信号が予め放送され、端末装置のメモリに記憶される。この端末装置において、再生指示信号により指定されたコンテンツ信号が記憶されている場合は、当該コンテンツ信号をメモリから読み出して番組の再生表示を行い、メモリに記憶されていない場合は、セルラーネットワークを介してセルラー基地局から当該コンテンツ信号を端末装置に送信させてメモリに新たな記憶させ、その新たに記憶されたコンテンツ信号により番組の再生表示を行うようになっている。
【特許文献１】特開２０００−２３２４２３号公報。
【発明の開示】
【発明が解決しようとする課題】
【０００６】
上記特許文献１に提案されている通信装置は、放送基地局から送信された番組のコンテンツ信号は、端末装置に記憶させ、そのメモリに記憶されたコンテンツ信号により番組を視聴するものである。この放送基地局から送信されたコンテンツ信号の受信環境によりメモリに記憶されたコンテンツ信号にエラーがあると、そのメモリに記憶されているコンテンツ信号を消去して、新たにセルラー基地局からセルラーネットワークを介して当該コンテンツ信号の送信要求を行い、その要求により送信された当該コンテンツ信号をメモリに記憶させる。
【０００７】
この通信装置に用いる端末装置は、コンテンツ信号を記憶させるための大容量のメモリが必要となる。また、端末装置が移動中にコンテンツ信号の受信環境が変動して、メモリに記憶されたコンテンツ信号にエラーがあると、メモリに記憶されている当該コンテンツ信号を破棄して、新たにセルラーネットワークを介してセルラー基地局から当該コンテンツ信号の再送信を受けるために、その再送信された当該コンテンツ信号のメモリへの記憶に時間がかかり、セルラーネットワークの使用も長時間となり、コンテンツ信号のメモリへの記憶操作が煩雑となる課題がある。
【０００８】
本発明は、このような事情に鑑みてなされたもので、テレビ番組を受信視聴において、受信環境により不受信状態が生じた際に、その不受信状態の番組内容のみ、あるいは、その不受信状態以降の番組を視聴可能とする携帯受信端末装置を提供することを目的としている。
【課題を解決するための手段】
【０００９】
本発明の携帯受信端末装置は、テレビ放送信号を受信復調してテレビ番組の視聴を可能とするテレビ放送受信手段と、公衆回線を用いて各種情報の送受信が可能な情報送受信手段と、前記テレビ放送受信手段を用いて受信視聴するテレビ番組を選択設定し、その選択設定したテレビ番組の情報を録画記録可能なサーバー装置に前記情報送受信手段を用いて送信するテレビ番組情報送信手段と、前記テレビ放送受信手段によりテレビ番組の受信視聴中に、そのテレビ番組の放送信号を正常受信できなくなった際の不受信状態の時刻を検出して不受信状態時刻データとして記録する不受信状態時刻検出手段と、を具備することを特徴としている。
【００１０】
本発明の携帯受信端末装置の前記情報送受信手段は、前記不受信状態時刻検出手段において検出記録されている不受信状態時刻データを前記サーバ装置に送信し、かつ、前記サーバ装置から前記不受信時刻データを基に不受信状態の間の当該テレビ番組の録画記録情報を受信して復調視聴することを特徴としている。
【００１１】
本発明の携帯受信端末装置の前記情報送受信手段は、前記不受信状態時刻検出手段において検出記録されている不受信状態時刻データを前記サーバ装置に送信し、その不受信状態時刻データを基に前記サーバ装置に録画記録されている当該テレビ番組の前記不受信状態の間の録画記録情報を再生させることを特徴としている。
【００１２】
本発明の携帯受信端末装置は、前記不受信状態時刻検出手段において検出する不受信状態時刻データは、前記テレビ番組の放送信号を正常に受信できなくなった不受信状態の開始時刻と、その不受信状態から再度正常に受信できる正常受信状態への復旧時刻とからなることを特徴としている。
【００１３】
本発明の携帯受信端末装置の前記テレビ放送受信手段は、テレビ番組の放送信号を正常受信できなくなった際に、不受信状態の開始時刻を検出して、前記テレビ放送受信手段によるテレビ番組の視聴を中断させると共に、前記情報送受信手段を介して前記サーバ装置に対して、前記不受信状態の開始時刻以降の当該テレビ番組の録画記録情報の送信要求を行い、前記サーバ装置から送信された録画記録情報を基に不受信状態の開始時刻以降の当該テレビ番組を復調視聴することを特徴としている。
【００１４】
本発明の携帯受信端末装置は、前記情報送受信手段から前記サーバ装置に対する前記不受信状態の開始時刻以降の当該テレビ番組の録画記録情報の送信要求の際に、前記サーバ装置から送信される当該テレビ番組の録画記録情報の倍速再生、あるいは当該テレビ番組の本編以外の部分を除去した録画記録情報の送信を指示可能とすることを特徴としている。  本発明の携帯受信端末装置の前記テレビ放送受信手段は、テレビ番組の受信状態が復旧した時刻と、前記サーバ装置から送信された録画記録情報の基で復調視聴しているテレビ番組の再生場面の時刻とが一致した際に、前記情報送受信手段による前記サーバ装置からの録画記録情報によるテレビ番組の視聴から前記テレビ放送受信手段により受信復調したテレビ番組の視聴に切替ることを特徴としている。
【００１５】
本発明の携帯受信端末装置の前記サーバ装置は、前記情報送受信手段からのテレビ番組の情報の基で、当該テレビ番組の録画記録が可能であると共に、その録画記録した当該テレビ番組の録画記録情報を前記情報送受信手段からの指示により再生送信可能な録画記録機器であることを特徴としている。
【発明の効果】
【００１６】
本発明の携帯受信端末装置は、リアルタイムにテレビ番組を視聴中に、テレビ放送信号の受信環境の変動により視聴できなかった場面、あるいは視聴できなかった場面以降のテレビ番組の映像及び音声信号を公衆回線網を用いて受信して、視聴できなかった場面の視聴が可能となる。また、その視聴できなかった場合に、その視聴できなかった場面の時刻のみを記憶させるためにメモリの容量を小さくすることができ、かつ、サーバ機器からの視聴できなかった場面のテレビ番組の映像及び音声の情報信号の送信時間の短縮とコストを低減させる効果がある。
【発明を実施するための最良の形態】
【００１７】
以下、図面を参照して本発明の実施の形態について詳細に説明する。本発明に係る携帯受信端末装置の第１の実施形態の構成について、図１を用いて説明する。図中の符号１は、放送基地局のアンテナから送信されるデジタル化されたテレビ放送電波信号（以下、単にデジタル放送電波と称する）である。このデジタル放送電波１は、携帯受信端末装置３と、その携帯受信端末装置３のユーザの自宅１１に設置されているサーバ機器７により受信される。この携帯受信端末装置３とサーバ機器７の間は、公衆回線網（以下、単に公衆網と称する）２を介して各種情報信号が送受信可能となっている。
【００１８】
携帯受信端末装置３は、図示していないが、例えば、通話用音声信号の送受信、各種文字図形等の情報信号の送受信、及び各種情報を表示する表示部からなる携帯電話に、デジタルテレビ放送信号を受信処理するデジタル放送受信モジュール６、及びメモリ４を備えたテレビ放送信号の受信視聴が可能な携帯電話である。このテレビの受信視聴可能な携帯電話以外に、例えば、メール情報や各種コンテンツ情報の送受信が可能な携帯情報端末装置（ＰＤＡ）等も適用できる。なお、携帯受信端末装置３のインターフェース５は、携帯電話機能の通話音声信号、各種文字図形情報信号、及び本発明に係るテレビ番組とテレビ番組信号を公衆網２との間で送受信するためのインターフェースである。
【００１９】
デジタル放送受信モジュール６は、放送基地局からのデジタル放送電波１を受信し、そのデジタル放送電波１から所望のテレビ番組の選択、その選択したテレビ番組のデジタルテレビ放送信号の復調、及びその復調したデジタルテレビ放送信号に所定の信号処理を施して生成した映像と音声信号によりテレビ番組の映像表示と音声出力を行うデジタルテレビ信号の処理機能が設けられている。このデジタル放送受信モジュール６には、デジタルテレビ信号の処理機能に加えて、デジタルテレビ放送信号に重畳されている電子番組情報や時刻情報を検出する機能も有している。
【００２０】
メモリ４は、デジタル放送受信モジュール６において検出した、電子番組情報や時刻情報を一時記憶するためのものであり、例えば、デジタルテレビ放送信号に重畳されている電子番組情報を一時記憶し、その電子番組情報を図示していない表示部に表示させて視聴するテレビ番組を選択したり、あるいは、後述する本発明に係わる、デジタル放送電波１の受信環境によりデジタル放送受信モジュール６がデジタル放送電波１が受信できない時の時刻データなどが記憶させる。
【００２１】
インターフェース５は、携帯電話機能による通話音声信号、文字図形情報信号、及びデジタル放送受信モジュール６からの各種情報信号を公衆網２を介して後述するサーバ機器７と送受信するためのインターフェース機能を有している。
【００２２】
公衆網２は、通話用音声信号や文字図形情報信号の送受信を無線で行う携帯電話回線網、あるいはＩＰ回線網（無線ＬＡＮ）等の公衆回線網である。
【００２３】
サーバ機器７は、インターフェース８、デジタル放送受信モジュール９、ストレージ１０からなっている。インターフェース８は、公衆網２を介して、携帯受信端末装置３と各種情報信号を送受信するためのインターフェース機能を有している。
【００２４】
デジタル放送受信モジュール９は、放送基地局からのデジタル放送電波１を受信し、そのデジタル放送電波１から所望のテレビ番組の選択、その選択したテレビ番組の信号をストレージ１０に書込記憶させると共に、ストレージ１０に書込記憶されたテレビ番組の信号を再生表示すると共に、その再生されたテレビ番組の信号をインターフェース８を介して公衆網２へと送信させる機能も有している。
【００２５】
ストレージ１０は、デジタル放送受信モジュール９において受信復調し、その復調したテレビ放送信号に所定の信号処理を施して生成した映像と音声信号を書込記憶及び読み出しが可能な記憶媒体で、例えば、ＨＤＤ、ＤＶＤ−Ｒ、ビデオカセットテープ等である。
【００２６】
つまり、サーバ機器７は、デジタルテレビ放送信号を復調して、テレビ番組の映像信号と音声信号を録画記録し、かつ、その録画記録した映像信号と音声信号を再生可能な、例えば、ＨＤＤ内蔵テレビ受像機、ＨＤＤビデオレコーダ、及びストレージ内蔵のクレードルなどである。
【００２７】
このサーバ機器７は、インターフェース８から公衆網２を介して、携帯受信端末装置３からのテレビ番組の情報により当該テレビ番組の映像と音声信号（以下、単にテレビ放送信号と称する）の録画記録を行うと共に、携帯受信端末装置３からの指示情報の基で、録画記録した当該テレビ番組信号を再生して、公衆網２を介して携帯受信端末装置３へ送信する機能を有している。
【００２８】
このような構成の携帯受信端末装置３は、リアルタイムにデジタル放送電波１を受信して所望のテレビ番組を視聴している時に、携帯受信端末装置３によるデジタル放送電波１の受信環境の変化、例えば、トンネル内に入りデジタル放送電波１が受信できなくなった場合に、そのデジタル放送電波１が受信できなかった期間の当該テレビ番組信号をサーバ機器７に録画記録された録画記録信号から抽出して公衆網２を介して受信して視聴することにより受信できなかった場面を補完視聴するものである。
【００２９】
この携帯受信端末装置３の主としてデジタル放送受信モジュール６の動作について、図２を用いて説明する。携帯受信端末装置３の電源を投入して、この携帯受信端末装置３の通話音声信号や各種情報信号の送受信機能を動作させると共に、インターフェース５、及びデジタル放送受信モジュール６を動作させて、デジタル放送電波１を受信してテレビ番組を視聴できるようにする（ステップＳ１）。
【００３０】
次に、携帯受信端末装置３のデジタル放送受信モジュール６に設けられているテレビ番組の選択と、その選択したテレビ番組と、そのテレビ番組の放送チャンネル等（以下、単にテレビ番組の情報と称する）の情報をその携帯受信端末装置３の情報信号受送信機能を用いて公衆網２を介して自宅１１のサーバ機器７へ送信して、サーバ機器７において、そのテレビ番組の録画記録を実行させるように通知設定するテレビ番組情報送信を行う（ステップＳ２）。この視聴するテレビ番組の情報は、新聞や雑誌などのテレビ番組表から番組情報を示す、例えば、Ｇコードを図示していないキーボードから入力する。あるいは、デジタル放送電波１に重畳されている電子番組情報を基にテレビ番組表を携帯受信端末装置３の表示部に表示させ、その表示されているテレビ番組表から視聴するテレビ番組をカーソルにより選択する。その入力、または選択したテレビ番組の情報は、情報信号送受信機能を用いてインターフェース５から公衆網２を介してサーバ機器７に送信する。
【００３１】
このステップＳ２において、携帯受信端末装置３のデジタル放送受信モジュール６により視聴するテレビ番組の選択設定と、その視聴するテレビ番組のサーバ機器７による録画記録の設定通知が終了すると、携帯受信端末装置３のデジタル放送受信モジュール６によるテレビ番組の視聴開始と同時にサーバ機器７による当該テレビ番組の録画記録を開始する（ステップＳ３）。このステップＳ３における携帯受信端末装置３によるテレビ番組の視聴とサーバ機器７による当該テレビ番組の録画記録が開始されると、ステップＳ４において、携帯受信端末装置３のデジタル放送受モジュール６における当該テレビ番組の信号の受信状態が常時チェックされる。例えば、携帯受信端末３がビルの陰やトンネル内等のデジタル放送電波１の弱い地域に入り、正常にデジタル放送電波１が受信できなく、かつテレビ放送信号の正常な復調ができない状態であるかチェックする。デジタル放送電波１が正常に受信され、かつ、その受信したデジタル放送電波１を正常に復調して所望のテレビ番組が視聴されていると、ステップＳ５において判定されると、ステップＳ３とＳ４が継続して繰り返される。
【００３２】
なお、このデジタル放送電波１の正常と不正常受信の判定は、デジタル放送電波１が受信できなくなると、デジタルテレビ放送信号を構成するヘッダーを初めとする各種データにエラーが生じて復調が中断されるために、この復調状態から判定可能である。
【００３３】
ステップＳ４の結果、ステップＳ６において、携帯受信端末装置３のデジタル放送受信モジュール６によるデジタル放送電波１が正常に受信できずに、テレビ番組の視聴ができなくなったと判定されると、デジタル放送受信モジュール６は、そのデジタル放送電波１が受信できなくなった時刻を検出して、メモリ４にその時刻データを記憶させる（ステップＳ７）。このステップＳ７におけるデジタル放送電波１の受信できなくなった時刻の検出は、デジタルテレビ放送信号を構成する映像及び音声信号データに重畳されている各種信号データ及び現在時刻データから検出する。あるいは、携帯受信端末装置３に内蔵されているリアル・タイム・クロック（ＲＴＣ）から検出する。つまり、このステップＳ７において、テレビ番組の放送信号を正常に受信できなくなった不受信状態の開始時刻を、デジタル放送電波１に重畳されている時刻データ、あるいは、携帯受信端末装置３に内蔵されているＲＴＣから検出してメモリ４に記憶させる。
【００３４】
次に、携帯受信端末装置３が移動して、デジタル放送受信モジュール６によりデジタル放送電波１が再度正常に受信できるようになり、所望のテレビ番組の再視聴が可能な状態に復旧すると、そのデジタル放送電波１の正常受信への復旧時刻を検出して、メモリ４に復旧時刻データを記憶させる（ステップＳ８）。このステップＳ８の復旧時刻の検出は、前記ステップＳ７と同様に、デジタル放送電波１に重畳されている時刻データ、あるいは、携帯受信端末装置３に内蔵されているＲＴＣから検出する。つまり、このステップＳ８において、デジタル放送電波１の不受信状態が終了して、再度正常受信状態となった復旧時刻を、デジタル放送電波１に重畳されている時刻データ、あるいは、携帯受信端末装置３に内蔵されているＲＴＣから検出してメモリ４に記憶させる。
【００３５】
すなわち、ステップＳ７とＳ８において、所望のテレビ番組を視聴している際に、デジタル放送電波１を発信する放送基地局と、携帯受信端末装置３の位置によりデジタル放送電波１が正常に受信できる正常受信状態と、正常に受信できない不受信状態とが生じる。この正常受信状態から不受信状態の開始時刻と、この不受信状態から正常受信状態への復旧時刻を検出して記憶させる不受信状態時刻検出を所望のテレビ番組を視聴している期間実行させる。
【００３６】
次に、所望のテレビ番組の放送が終了、あるいは、携帯受信端末装置３による所望のテレビ番組の受信視聴が終了すると、携帯受信端末装置３の情報信号送受信機能を用いて、前記ステップＳ７とＳ８において検出してメモリ４に記憶させておいた、不受信状態の開始時刻と正常受信状態への復旧時刻のデータを読み出し、いわゆる視聴不能時間情報をインターフェース５、公衆網２を用いて、自宅１１のサーバ機器７へ送信する（ステップＳ９）。
【００３７】
このステップＳ９において送信された視聴不能時間情報は、サーバ機器７のインターフェース８を介して、ストレージ１０に読み込まれ、この視聴不能時間情報を基に、ストレージ１０に録画記録されている当該テレビ番組の視聴不能時間の部分のテレビ番組信号を切り出して、インターフェース８、公衆網２を介して、携帯受信端末装置３へ送信する（ステップＳ１０）。
【００３８】
このステップ１０において、サーバ機器７から送信された視聴不能時間の部分の切り出したテレビ番組信号は、インターフェース５を介して携帯受信端末装置３により受信される。携帯受信端末装置３は、サーバー機器７から送信された切り出し部分の信号をメモリ４に一時記憶、または、図示していない、前記切り出し部分のテレビ放送信号の記憶が可能なメモリに一時記憶させ、その一時記憶された切り出し部分のテレビ番組信号を基にデジタル放送受信モジュール６を用いて、前記切り出し部分の視聴を行う（ステップＳ１１）。これにより、デジタル放送電波１が不受信状態となり、視聴できなかったテレビ番組の場面の補充視聴ができる。
【００３９】
なお、サーバ機器７において、デジタル放送受信モジュール９において受信復調したテレビ番組信号をストレージ１０に録画記録させる際に、デジタル放送電波１に重畳されている時刻データ、またはサーバ機器７のＲＴＣの時刻データを同時に記録する。
【００４０】
すなわち、移動体通信を可能とする、いわゆるモバイル環境において、移動体である携帯受信端末装置３によりデジタル放送電波１を受信して、所望のテレビ番組をリアルタイムで視聴の際に、携帯受信端末装置３による視聴と同時に自宅１１に設けられているサーバ機器７に当該テレビ番組の録画記録を行わせると共に、デジタル放送電波１の受信環境により携帯受信端末装置３がデジタル放送電波１の不受信状態となる不受信状態開始時刻と、その不受信状態から正常受信状態への復旧時刻の不受信状態時間データを記憶させる。この不受信状態時間データは、テレビ番組の視聴終了後にサーバ機器７へ送信し、サーバ機器７に録画記録されている不受信状態時間データの部分のテレビ番組信号を録画記録信号から切り出して、携帯受信端末装置３に送信させる。この送信された切り出し録画記録信号を基に携帯受信端末装置３に再生表示させて、当該テレビ番組の不受信状態部分の視聴を行う。これにより、リアルタイムに携帯受信端末装置３において視聴していたテレビ番組のうち、デジタル放送電波１の受信環境により見落とした場面をテレビ番組終了後、速やかに視聴できる。また、携帯受信端末装置３のメモリ４は、デジタル放送電波１の不受信状態時刻データを記憶させる容量を有すれば良く、メモリ４の記憶容量を小さくできる。さらに、携帯受信端末装置３に、テレビ番組信号の記憶メモリを設けたとしてもサーバ機器７から送信させるデジタル放送電波１の不受信状態時間の場面のみのテレビ番組信号を記憶させる小容量のメモリを用いることができ、従来のテレビ信号の記録用のメモリに比して大幅に記憶容量を削減できる。
【００４１】
なお、この第１の実施形態の説明では、前記ステップＳ１０において、携帯受信端末装置３から自宅１１のサーバ機器７にデジタル放送電波１の不受信状態時間データを送信して、ステップＳ１１において、サーバ機器７からその不受信状態時間データに該当する部分の場面のテレビ番組信号をサーバ機器７から切り出して携帯受信端末装置３に送信させることで、そのサーバ機器７から送信された不受信時間のテレビ番組の場面を視聴するとしたが、携帯受信端末装置３のメモリ４に記憶されている不受信状態時間データは、ユーザが帰宅後に、自宅１１のサーバ機器７と携帯受信端末装置３とを、例えば、家庭内ＬＡＮにより接続して、携帯受信端末装置３からサーバ機器７に対して不受信状態時間データを送信する。その不受信状態時間データを受信したサーバ機器７は、受信した不受信状態時間データに係る部分のテレビ番組の場面を録画記録信号を切り出して、自宅１１のテレビ受像機に再生表示させて、携帯受信端末装置３によりリアルタイム視聴できなかった場面を視聴するようにすることもできる。
【００４２】
これにより、携帯受信端末装置３は、不受信状態時刻データのみを記憶すれば良く、メモリ４の記憶容量を一層少なくでき、あるいは、携帯受信端末装置３に内蔵されている他のメモリとの共通使用も可能となる。
【００４３】
次に、本発明に係る携帯受信端末装置の第２の実施形態について、図３を用いて説明する。なお、この第２の実施形態は、携帯受信端末装置３と自宅１１のサーバ機器７の構成は、前述した第１の実施形態と同じで、携帯受信端末装置３のデジタル放送受信モジュール６の動作が一部相違する。
【００４４】
この第２の実施形態の携帯受信端末装置３の動作について、図３を用いて説明する。携帯受信端末装置３の電源を投入して、この携帯受信端末装置３の通話音声信号や各種情報信号の送受信機能を動作させると共に、インターフェース５、及びデジタル放送受信モジュール６を動作させて、デジタル放送電波１を受信してテレビ番組を視聴できるようにする（ステップＳ２１）。
【００４５】
次に、携帯受信端末装置３のデジタル放送受信モジュール６に設けられているテレビ番組の選択と、その選択したテレビ番組の情報をその携帯受信端末装置３の情報信号受送信機能を用いて公衆網２を介して自宅１１のサーバ機器７へ送信して、サーバ機器７において、そのテレビ番組の録画記録を実行させるように通知設定するテレビ番組情報の送信を行う（ステップＳ２２）。この視聴するテレビ番組の情報は、前述した第１の実施形態と同じに、新聞や雑誌などのテレビ番組表からのＧコードをキーボードにより入力、あるいは、デジタル放送電波１に重畳されている電子番組情報からの視聴番組の情報を入力する。この入力されたテレビ番組の情報は、携帯受信端末装置３の情報信号送受信機能を用いてインターフェース５から公衆網２を介してサーバ機器７に送信する。
【００４６】
このステップＳ２２において、携帯受信端末装置３のデジタル放送受信モジュール６により視聴するテレビ番組の選択設定と、その視聴するテレビ番組のサーバ機器７による録画記録の設定通知が終了すると、携帯受信端末装置３のデジタル放送受信モジュール６によるテレビ番組の視聴開始と同時にサーバ機器７による当該テレビ番組の録画記録を開始する（ステップＳ２３）。このステップＳ２３における携帯受信端末装置３によるテレビ番組の視聴とサーバ機器７による当該テレビ番組の録画記録が開始されると、ステップＳ２４において、携帯受信端末装置３のデジタル放送受モジュール６における当該テレビ番組信号の受信状態が常時チェックされる。携帯受信端末３によるデジタル放送電波１の受信ができなく、当該テレビ番組の視聴ができない状態であるかチェックする。このステップＳ２４のチェックの結果、ステップＳ２５において、デジタル放送電波１が正常に受信されて、その受信したデジタル放送電波１を基に所望のテレビ番組が視聴されている判定されると、ステップＳ２６において、デジタル放送受信モジュール６は、その正常受信状態が継続されていること示す受信正常情報を一定時間毎に生成して、インターフェース５から公衆網２を介して、自宅１１のサーバ機器７に送信する。
【００４７】
このステップＳ２６において、携帯受信端末装置３から送信された一定時間毎の受信正常情報は、ステップＳ２７において、サーバ機器７のインターフェース８を介してデジタル放送受信モジュール９に入力される。デジタル放送モジュール９は、受信正常情報の時間までにストレージ１０に録画記録している当該テレビ番組の信号を消去させる。このステップＳ２７の処理が終了すると、前記ステップＳ２３に戻り、その一定時間毎の受信正常情報の以降の当該テレビ番組の信号の録画記録を継続させる。なお、このデジタル放送電波１の正常と不正常受信の判定は、前述した第１の実施形態と同じであるために説明は省略する。
【００４８】
ステップＳ２４の状態判定の結果、ステップＳ２８において、携帯受信端末装置３のデジタル放送受信モジュール６によるデジタル放送電波１が正常に受信できずに、テレビ番組の視聴ができなくなったと判定されると、デジタル放送受信モジュール６は、そのデジタル放送電波１が受信できなくなった時刻を検出して、メモリ４にその時刻データを記憶させる（ステップＳ２９）。
【００４９】
次に、デジタル放送受信モジュール６によりデジタル放送電波１が再度正常に受信できるようになり、所望のテレビ番組の再視聴が可能な状態に復旧すると、そのデジタル放送電波１の正常受信への復旧時刻を検出して、メモリ４に復旧時刻データを記憶させる（ステップＳ３０）。なお、前記ステップＳ２９とＳ３０の時刻検出は、前述した第１の実施形態のステップＳ７とＳ８と同じであるため詳細説明は省略する。
【００５０】
所望のテレビ番組の放送が終了、あるいは、携帯受信端末装置３による所望のテレビ番組の受信視聴が終了すると携帯受信端末装置３の情報信号送受信機能を用いて、前記ステップＳ２９とＳ３０において検出してメモリ４に記憶させておいた、不受信状態の開始時刻と受信状態の復旧時刻のデータを読み出し、いわゆる視聴不能時間情報をインターフェース５、公衆網２を用いて、自宅１１のサーバ機器７へ送信する（ステップＳ３１）。このステップＳ３１において送信された視聴不能時間情報は、サーバ機器７のインターフェース８を介して、ストレージ１０に読み込まれ、この視聴不能時間情報を基に、ストレージ１０に録画記録されている当該テレビ番組の視聴不能時間の部分のテレビ番組信号を切り出して、インターフェース８、公衆網２を介して、携帯受信端末装置３へ送信する（ステップＳ３２）。
【００５１】
このステップ３２において、サーバ機器７から送信された視聴不能時間部分の切り出したテレビ番組信号は、携帯受信端末装置３のインターフェース５を介して受信され、その受信した切り出し部分の信号は、携帯受信端末装置３に設けられているメモリ４，または、図示していない、前記切り出し部分のテレビ番組信号の記憶が可能なメモリに一時記憶させ、その一時記憶された切り出し部分のテレビ番組信号を基にデジタル放送受信モジュール６を用いて、前記切り出し部分の視聴を行う（ステップＳ３３）。これにより、デジタル放送電波１が不受信状態となり、視聴できなかった場面のテレビ番組の補充視聴が可能となる。
【００５２】
すなわち、モバイル環境において、移動体である携帯受信端末装置３によりデジタル放送電波１を受信して、所望のテレビ番組をリアルタイムで視聴の際に、不受信状態が発生しても、その不受信状態時間データを用いてサーバ機器７から不受信状態部分の場面の録画記録信号を切り出して、携帯受信端末装置３に送信させ、携帯受信端末装置３による不受信状態部分の場面の視聴ができ、前述した第１の実施形態と同様の効果が得られる。
【００５３】
また、サーバ機器７は、携帯受信端末装置３が正常受信したことを示す一定時間毎に送信される正常受信情報を用いて、その正常受信情報の時間までに録画記録されていたテレビ番組信号を消去できるために、サーバ機器１０の録画記録容量を小さくすることもでき、かつ、ステップＳ３２の携帯受信端末装置３からの不受信状態時間データの基でサーバ機器７ら録画記録されている不受信状態の場面のテレビ番組信号の録画記録位置の検索も容易となる。
【００５４】
なお、前記ステップＳ３１において、携帯受信端末装置３から自宅１１のサーバ機器７へ不受信状態時間データを送信して、ステップＳ３２において、サーバ機器７からその不受信状態時間データに該当する部分の場面のテレビ番組信号をサーバ機器７から切り出して携帯受信端末装置３に送信させて、そのサーバ機器７から送信された不受信時間のテレビ番組の場面を視聴するとしたが、携帯受信端末装置３のメモリ４に記憶されている不受信状態時間データは、ユーザが帰宅後に、自宅１１のサーバ機器７と携帯受信端末装置３とを、例えば、家庭内ＬＡＮにより接続して、携帯受信端末装置３からサーバ機器７に対して不受信状態時間データを送信する。その不受信状態時間データを受信したサーバ機器７は、受信した不受信状態時間データに係る部分のテレビ番組の場面を信号を切り出して、自宅のテレビ受像機に再生表示させて、携帯受信端末装置３によるリアルタイム視聴時に不受信状態により見落とした場面を視聴するようにすることもできる。
【００５５】
これにより、携帯受信端末装置３は、不受信状態時刻データのみを記憶すれば良く、メモリ４の記憶容量を一層少なくでき、あるいは、携帯受信端末装置３の内蔵されている他のメモリとの共通使用も可能となる。
【００５６】
次に、本発明に係る携帯受信端末装置の第３の実施形態について、図４を用いて説明する。なお、この第３の実施形態の携帯受信端末装置３と自宅１１のサーバ機器７の構成は、前述した第１の実施形態と同じで、携帯受信端末装置３のデジタル放送受信モジュール６の動作が一部相違する。
【００５７】
この第３の実施形態の携帯受信端末装置３の動作について、図４を用いて説明する。この第３の実施形態の携帯受信端末装置３の動作は、図２を用いて前述した第１の実施形態と略同じであり、図４の第３の実施形態の動作のステップＳ４１乃至ステップＳ４８は、図２に示した第１の実施形態のステップＳ１乃至ステップＳ８と同じである。従って、この第３の実施形態の動作は、ステップＳ４９以降について説明する。
【００５８】
ステップＳ４７において不受信状態時刻が検出され、及びステップＳ４８において正常受信復旧時刻が検出されてメモリ４に記憶されると、ステップＳ４９において、デジタル放送受信モジュール６は、携帯受信端末装置３の情報信号送受信機能を用いて、メモリ４に記憶されている不受信状態の開始時刻と受信状態の復旧時刻の不受信状態時間データを読み出してインターフェース５、公衆網２を用いて、自宅１１のサーバ機器７へ高速送信する。このステップＳ４９において送信された不受信状態時間データは、サーバ機器７のインターフェース８を介して、デジタル放送受信モジュール９に入力される。この不受信状態時間データを基に、ステップＳ５０において、ストレージ１０に録画記録されている当該テレビ番組の不受信状態の開始時刻からのテレビ番組信号を、インターフェース８、公衆網２を介して、携帯受信端末装置３へ高速送信させる。この公衆網２０を介してサーバ機器７から送信された不受信状態の開始時刻以降のテレビ番組信号を携帯受信端末装置３にて復調して視聴する。
【００５９】
つまり、携帯受信端末装置３において、デジタル放送電波１が受信できなくなると、その受信できなくなった時刻をサーバ機器７に送信し、その時刻以降の場面の当該テレビ番組信号をサーバ機器７から送信させ、そのサーバ機器７からの当該テレビ番組信号により携帯受信端末装置３において、リアルタイムのテレビ番組よりも時間的に遅れた当該テレビ番組の追っかけ視聴を行う。
【００６０】
この時に、サーバ機器７に録画記録されているテレビ番組信号の内、そのテレビ番組の本編以外の映像及び音声信号部分、例えば、コマーシャル部分を削除して送信させたり、あるいは、サーバ機器７に録画記録されている当該テレビ番組の信号の再生速度を倍速等にして、リアルタイムで放送されているテレビ番組の現在時刻の場面へと携帯受信端末装置３による追っかけ再生を行うようにする。
【００６１】
このステップＳ５０において、携帯受信端末装置３の不受信状態の際に、その不受信状態以降の場面のテレビ番組信号は、サーバ機器７に録画記録された当該テレビ番組信号を本編以外の信号を削除させて送信させ、あるいは、倍速再生させた当該テレビ番組信号を送信させる。そのサーバ機器７からのテレビ番組信号の基で携帯受信端末装置３により追っかけ再生視聴を行う。そのサーバー機器７からのテレビ番組信号の基で、携帯受信端末装置３において追っかけ再生視聴時にステップＳ５１において、その追っかけ再生視聴しているテレビ番組の場面の時刻と、その時点の携帯受信端末装置３のデジタル放送受信モジュール６において受信しているデジタル放送電波１に重畳されている時刻情報とを比較する。
【００６２】
このステップＳ５１の時刻比較の結果、サーバ機器７からのテレビ番組信号の基で追っかけ再生視聴している場面の時刻と、現在時刻とが一致していないとステップＳ５２において判定されると、ステップＳ５３において、携帯受信端末装置３は、継続してサーバ機器７から送信されているテレビ番組信号による追っかけ再生視聴を継続させて、ステップＳ５１へと戻る。
【００６３】
前記ステップＳ５１の時刻比較の結果、サーバ機器７からのテレビ番組信号の基で追っかけ再生視聴している場面の時刻と、現在時刻とが一致するとステップＳ５４において判定されると、ステップＳ５５において、携帯受信端末装置３のデジタル放送受信モジュール６は、サーバ機器７から送信されているテレビ番組信号による追っかけ再生視聴を停止させて、リアルタイムに送信されているデジタル放送電波１からのテレビ番組信号による視聴に切り替えて、ステップＳ５６において、リアルタイムのデジタル放送電波１１からのテレビ番組の視聴を再開させる。なお、このステップＳ５６の携帯受信端末装置３によるデジタル放送電波１１により視聴再開後もサーバ機器７の当該テレビ番組信号の録画記録を継続させ、ステップＳ４４以降を繰り返し実行させる。
【００６４】
すなわち、この第３の実施形態は、前述した第１と第２の実施形態と同様な効果を有すると共に、携帯受信端末装置３が不受信状態になった場合に、比較的リアルタイムに近いテレビ番組信号をサーバ機器７からのテレビ番組信号により追っかけ再生視聴が可能となる。
【図面の簡単な説明】
【００６５】
【図１】本発明の第１の実施形態に係る携帯受信端末装置とサーバ機器を用いたデジタル放送電波の視聴構成を示すブロック図。
【図２】本発明の第１の実施形態に係る携帯受信端末装置のデジタル放送電波のテレビ番組の視聴動作を説明するフローチャート。
【図３】本発明の第２の実施形態に係る携帯受信端末装置のデジタル放送電波のテレビ番組の視聴動作を説明するフローチャート。
【図４】本発明の第３の実施形態に係る携帯受信端末装置のデジタル放送電波のテレビ番組の視聴動作を説明するフローチャート。
【符号の説明】
【００６６】
１  デジタル放送電波、２  公衆網、３  携帯受信端末装置、４  メモリ、５  インターフェース、６  デジタル放送受信モジュール、７  サーバ機器、８インターフェース、９  デジタル放送受信モジュール、１０  ストレージ、１１  自宅。
代理人  弁理士  伊藤  進
【図１】
2005217972.tif 000003
【図２】
2005217972.tif 000004
【図３】
2005217972.tif 000005
【図４】
2005217972.tif 000006